(57)【特許請求の範囲】
【請求項１】
カレンダーを壁面に掛止めるための紙製支持具であって、厚さが０．２〜２．０ｍｍで、曲げ強度が９０〜２００ＭＰａの硬質の紙からなる主板の上部中央に、主板の表裏面方向に貫通した吊穴（５）を設けると共にその下部に山形状フック片（６）を切り込んで設け、また前記吊穴とフック片との間に、カレンダー押さえ片（７）を切り起こし可能に形成したことを特徴とするカレンダー支持具。
【請求項２】
硬質の紙がバルカナイズドファイバーであることを特徴とする請求項１に記載のカレンダー支持具。
【請求項３】
カレンダー押さえ片（７）に、第２のフック片及び／又は第２の押さえ片を形成したことを特徴とする請求項1に記載のカレンダー支持具。
【発明の詳細な説明】
【０００１】
【発明の属する技術分野】
本発明は、カレンダーを壁面に掛け止めるための紙製支持具に関し、さらに詳しく述べると、カレンダーへの取り付けが容易で、かつ使用後の廃棄性に優れるカレンダー支持具に係る。
【０００２】
【従来の技術】
住宅や事務所の壁等に吊下げて使用されるカレンダーは、通常、カレンダー自体に設けた吊穴を介して吊下げるか、カレンダーとは別体のハンガーと呼ばれる吊具を介して吊下げることが一般的である。
【０００３】
このハンガーはスチール棒で形成した金具タイプものと、プラスチックで形成した薄いさや（鞘）状タイプとがある。前者は、図１４のようにカレンダー２を構成する用紙群を綴じ合わせたリング部４０に、スチール棒４１を挿入して使用するもので、使用後のカレンダーの各暦ページを使用中のカレンダーの後側に反転させ重ね合わせた状態で吊下げることができるような構造になっている。一方後者は、図１２、１３に示すように、カレンダーの上辺に取り付ける断面逆Ｕ形をした鞘状本体３０の下縁にカレンダーの各暦ページを挟み込みための割れ目３０ａを形成させ、かつ前記本体の上縁中央に吊穴３０ｂを設けたもので、月が変わるごとにカレンダーの各暦ページを１８０度反転させ、ページの下辺を前記割れ目を通して鞘状本体３０に抜き差し可能に保持し、かつ、カレンダーの暦ページが抜け落ちることのないように、プラスチックの鞘が持つ弾力性を利用して挟んで押さえる構造になっている。
【０００４】
上記の如き金属製またはプラスチック製のハンガーは材質的に丈夫であるから、比較的重量のあるカレンダーを壁などに確実にぶら下げることができる利点はあるものの、棒状ハンガー４１を綴じ合せリング部４０に挿入する作業や、鞘状ハンガー３０をカレンダー２の上辺に取り付ける作業が面倒であった。また何れのものもカレンダーの暦ページ差し替えの操作がワンアクションで行えないという問題があった。
【０００５】
さらに使用後の廃棄の際、金属製ハンガー４１は不燃物であり、プラスチック製ハンガー３０は焼却時に有害なガスを発生する問題があるので、いざ廃棄する場合には昨今の環境問題からハンガーの部分を分別することが必要になっている。使用済みカレンダー２を古紙としてリサイクル処理をするに当っても、上記金属製またはプラスチック製のハンガーは古紙の不純物として取り除かねばならない。
【０００６】
【発明が解決しようとする課題】
そこで本発明は上記のような問題点に鑑みなされたものであり、その目的とするところは、カレンダーへの取り付けが容易で、廃棄処理が容易であるとともに、カレンダーの各暦ページの差し替え操作がすばやく簡単にでき、かつカレンダーの各頁を確実に保持することのできるカレンダー支持具を提供することにある。
【０００７】
【課題を解決するための手段】
前記課題を達成するため、本発明は、カレンダーを壁面に掛止めるための紙製支持具であって、厚さが０.２〜２.０ｍｍで、曲げ強度が９０〜２００ＭＰａの硬質の紙からなる主板の上部中央に、主板表裏面方向に貫通した吊穴（５）を設けると共にその下部には山形状フック片（８）を切り込んで設け、また前記吊穴とフック片との間に、カレンダー押さえ片（７）を切り起こし可能に形成したことを特徴とする。
【０００８】
なお、硬質の紙としてはバルカナイズドファイバーまたはそれと同等の紙を使用することができる。また押さえ片の上に、第２のフック片及び／又は第２の押さえ片を打抜き形成したことを特徴とする。
【０００９】
本発明のカレンダー支持具は、硬質の紙の硬さ並びに曲げ強さを活かして、プラスチックハンガーと同等の強度と良好な紙押さえ機能が発揮される。即ち本発明では、曲げ強度が９０〜２００ＭＰａの硬質の紙からなる主板の上部中央に、表裏方向に貫通した吊穴（５）を設けると共にその下部には山形状フック片（６）を切り込んで設け、また前記吊穴とフック片との間に、カレンダー押さえ片（７）を切り起こし可能に形成して、該支持具のカレンダーへの取り付け操作、すなわちカレンダーの裏台紙に形成させたスリットに、前記フック片を挿合させ、壁側に設けた釘又はピンに前記吊穴を引掛けてカレンダーをぶら下げる構成となっているが、本発明の支持具は、カレンダーの重みを支える強度があり、折れ曲がったりしてカレンダーが落ちること無く確実に保持できる。また、暦ページを変更する際に、各ページを押さえ片で弾性的に押さえ込むだけなので、簡単にページ変更ができる。
【００１０】
本発明支持具は、紙繊維により構成されているから、カレンダー使用後の支持具を分別せずに古紙としてリサイクル処理することができ、また廃棄しても容易に焼却できる。
【００１１】
【発明の実施の形態】
以下、図面を参照し本発明の具体的な実施の態様を説明する。後記の実施形態では、硬質の紙として最も好適なバルカナイズドファイバーを材料とするカレンダー支持具について説明する。
【００１２】
図１は本発明の支持具によって、カレンダー２を壁面に吊り下げた状態の全体斜視図、図２は同上支持具の説明図、図３はカレンダー支持具をカレンダー裏台紙から取り付ける前の要部説明図、図４は同じくカレンダー支持具をカレンダー裏台紙に取り付けた後の要部説明図、図５はカレンダーの暦ページを差し替えているところを示す説明図である。
【００１３】
カレンダー支持具の全体構成を先ず図２〜図３により説明する。符号４は、硬質の紙（バルカナイズドファイバー）をほぼ四辺形に打抜いて形成した主板であり、該主板の上部中央に、表裏面方向に貫通した吊穴５を有するタブ８が形成され、その下部に山形状フック片６が、前記吊穴５とフック片６との間にカレンダー押さえ片７がほぼ∪形の切込４ｂにより形成されている。また、前記押さえ片７の上に第２のフック片９が打抜きにより設けられている。なお、フック片９及びタブ８は何れも山形をなすように形成されている。
【００１４】
主板は厚さが０．２〜２．０ｍｍ、曲げ強度が９０〜２００ＭＰａ、弾性率３．０００〜５．０００Ｎ／ｍｍ2、密度１．０〜１．５ｇ／ｃｍ3のバルカナイズドファイバーもしくは、バルカナイズドファイバーと同等の紙よりなり、この主板を打抜き機で図３に示すように打ち抜いて形成したものである。
【００１５】
バルカナイズドファイバーとしては、コットンラグ（綿ぼろ）あるいは木材パルプなどの天然有機素材から抄造された原紙を濃厚塩化亜鉛溶液に浸漬して一定の層厚に積層した後、膠化剤たる塩化亜鉛溶液を水洗して除去した後、乾燥、圧搾などの工程を経て成形仕上げされた公知のものが使用できる。また、ウレタン樹脂などの樹脂をコートして強度をあげたものを使用することもできる。さらに、顔料や染料を内添して赤、黄、緑、黒などに着色したものを使用することができる。
【００１６】
なおバルカナイズドファイバーに代えて、木綿繊維又は木材化学パルプからできた原紙を濃硫酸で処理した後、完全に水洗いして乾燥して製造したパーチメント紙を使用することもできる。これらの硬質紙は組織が緻密で、剛性、弾性ならびに靭性に富む材料であり、また可燃性で、かつ生分解性でもあるので、昨今の環境問題に適応して廃棄性に優れるものである。
【００１７】
なお主板は厚さ０．２〜２．０ｍｍの範囲のもの、実用的には０．５〜１．０ｍｍとするのが好ましい。すなわち０．２ｍｍより薄いと強度が不足し、２．０ｍｍより厚いと、腰が強くなり使用時に押さえ片が曲げにくくなるからである。
【００１８】
次に本発明支持具４の使用方法を図１〜４により説明する。符号１は、壁に設けたピン又は釘である。図３に示すように、先ず山形状フック片６をカレンダーの裏台紙３の中央上部に形成したスリット３ａに挿入し、該フック片でカレンダーの裏台紙３を支持する。次に、カレンダー支持具４の上部に開設された吊穴５をピンまたは釘１に掛けてカレンダー２を壁面に吊り下げる。
【００１９】
カレンダーの使用済みの暦ページを新しい暦ページに差し替える場合には、使い終わった暦ページをめくり上げて１８０度反転させ、使用済み暦ページを写真ページの上に重ね合わせた後、その一辺を押さえ片７の内側に挟み込む。この場合に、押さえ片７を少し外側に曲げるようにして持ち上げ、めくり上げたページを押さえ片７によって弾性的に狭持する。したがってワンアクションで簡単にページの抜き差しが行え、接着剤等を使用しなくても、押さえ片自体の弾性により確実にページを保持することができる。図５は、カレンダー２の暦ページを新しいページに変えようとしているところである。
【００２０】
本実施の形態の支持具４は、押さえ片７の上に第２のフック片９を形成したので、このフック片9に暦ページの一部を掛け止めることもできる。すなわちこの場合には、例えば、半年分の暦ページを押さえ片７によって弾性的に狭持し、残りの半年分の暦ページは、第２のフック片９にスリットを介して保持をする。
【００２１】
大型のカレンダーを吊下げる場合、カレンダーのページ上辺左右両端が折れ曲がり垂れ下がってくることがあり、見栄えが悪くなる。このような場合、左右の両端に図６に示す補助板１０を取り付けることで、図１のように、ページ上辺左右両端のめくれを防止することができる。前記補助板１０は、ほぼ４辺形状シートの一隅にフック片１１、中央部寄りに押さえ片１２を打抜きにより形成したものである。その取り付け方法は裏台紙３の中央上部に取り付ける主板とほぼ同様であり、裏台紙に設けたスリットにフック片１１を挿入し、暦ページの上辺左右両端を押さえ片１２で上から保持する。
【００２２】
次に変形例について説明する。図７、図８は主板形状を多角形にしたものであり、図９はダルマ型にした事例である。また図１０は、幅広の主板の上部中央に吊穴５を、下方に左右一対のフック片６ａ，６ｂを、前記吊穴とフック片との間にほぼ∪形の切込みにより左右一対の押さえ片７ａ，７ｂを形成した例である。図１１は、第１の押さえ片７の上部に、更にほぼ∪形の切込みにより、第２の押さえ片１３を形成した例である。
【００２３】
このように主板の大きさ、形状、フック片や押さえ片の大きさや形状は限定されず、自由なデザインを採用でき、自宅用、会社用など、使用場所との調和をはかることができる。
【００２４】
【発明の効果】
本発明のカレンダー支持具は、上述したように硬質の紙の硬さを活かし、剛性、弾性ならびに靭性に富み、しかもカレンダーの重みを支える強度があるので、使用中にフック片などが折れ曲がったりしてカレンダーが落ちること無く確実に保持できることから、従来の金属製またはプラスチック製のハンガーの代替が可能である。
【００２５】
また、この支持具は暦ページを変更する際に、各ページを押さえ片で弾性的に押さえ込むだけなので、簡単にページの変更ができる。特に、カレンダーを構成する絵や写真などを接着剤などで損なうこともなく、ページ全面をきれいな状態で挟む込み保持するため、きれいな絵や写真をそのまま再利用できるようにしたいという要望に応えることができる。
【００２６】
さらに、本発明支持具は紙繊維により構成されているから、カレンダー使用後の支持具を分別せずに古紙としてリサイクル処理することができ、また廃棄しても容易に焼却できる。したがって、昨今の環境問題に適応して、廃棄性に優れるものである。
【図面の簡単な説明】
【図１】本発明の支持具を用いてカレンダーを壁面に吊下げた状態の全体斜視図。
【図２】カレンダー支持具の斜視図。
【図３】カレンダー支持具をカレンダー裏台紙に取り外つける前の状態の要部説明図。
【図４】カレンダー支持具をカレンダー裏台紙に取り付けた後の状態の要部説明図。
【図５】カレンダーの暦ページを差し替えているところを示す説明図。
【図６】本発明の支持具と併用する補助板を示す平面図。
【図７】カレンダー支持具の他の実施形態を示す平面図。
【図８】カレンダー支持具の他の実施形態を示す平面図。
【図９】カレンダー支持具の他の実施形態を示す平面図。
【図１０】カレンダー支持具の他の実施形態を示す平面図。
【図１１】カレンダー支持具の他の実施形態を示す平面図。
【図１２】従来のカレンダーを示す説明図。
【図１３】従来のカレンダー支持具の側面図。
【図１４】従来のカレンダー支持具の説明図。
【符号の説明】
２  カレンダー
３  カレンダーの裏台紙
３ａ  スリット
４  主板
５  吊穴
６  山形状フック片
７  押さえ片
８  タブ
【図１】
0004630492.tif 000002
【図２】
0004630492.tif 000003
【図３】
0004630492.tif 000004
【図４】
0004630492.tif 000005
【図５】
0004630492.tif 000006
【図６】
0004630492.tif 000007
【図７】
0004630492.tif 000008
【図８】
0004630492.tif 000009
【図９】
0004630492.tif 000010
【図１０】
0004630492.tif 000011
【図１１】
0004630492.tif 000012
【図１２】
0004630492.tif 000013
【図１３】
0004630492.tif 000014
【図１４】
0004630492.tif 000015